(57)【特許請求の範囲】
【請求項１】
窓枠の下枠の室内外方向の外側面に装着され、前記外側面に設けた上下２個の第１上部排水孔と第１下部排水孔に導かれた水を、室外に排水するようにした窓枠用排水弁装置であって、
前記上下２個の第１上部排水孔と第１下部排水孔を覆いうる大きさの排水ケース部を備え、この排水ケース部の内部空間を、前記第１上部排水孔と連通する上部排水室と、前記第１下部排水孔と連通する下部排水室とに区画し、前記排水ケース部に、前記上部排水室に流入した水を外部に排水する第２上部排水孔と、下部排水室に流入した水を外部に排水する第２下部排水孔とを設けるとともに、前記第２下部排水孔に、通常時はこの第２下部排水孔を閉塞し、下部排水室に流入した水を外部に排水するときのみ開弁する排水弁を設けたことを特徴とする窓枠用排水弁装置。
【請求項２】
排水ケース部における第２下部排水孔と反対側の壁面に、下部排水室と連通するとともに、外周面に係合爪を有する中空筒状の嵌合部を連設し、この嵌合部を下枠の第１下部排水孔に嵌合し、前記係合爪を排水孔の開口縁に係合させることにより、前記排水ケース部を、下枠の外面に装着しうるようにしたことを特徴とする請求項１記載の窓枠用排水弁装置。
【請求項３】
嵌合部の外周面の対向部をコ字状に切り欠くことにより、１対の弾性片を形成し、これら両弾性片の外面に係合爪を突設したことを特徴とする請求項２記載の窓枠用排水弁装置。
【請求項４】
嵌合部の下面の一部を、先端から基端に向かって切り欠くことにより、嵌合部の下面に、排水ケース部の下部排水室に連通する開放部を形成したことを特徴とする請求項２または３記載の窓枠用排水弁装置。
【請求項５】
第２下部排水孔及び排水弁を横長の方形をなすものとし、前記排水弁の上端部を、排水ケース部に設けた横向きの支軸により回動自在に支持したことを特徴とする請求項１〜４のいずれかに記載の窓枠用排水弁装置。
【請求項６】
上部排水室と下部排水室とを、上下方向を向く連通孔により連通させることにより、この連通孔を、上部排水室に流入した水を第２下部排水孔を介して外部に排水する第２上部排水孔としたことを特徴とする請求項１〜５のいずれかに記載の窓枠用排水弁装置。
【請求項７】
窓枠の下枠の上面に、引き違い式の内障子と外障子の下端部を移動可能にガイドする内ガイドレールと外ガイドレールを上向きに突設するとともに、前記下枠の内端に連設された内立上り片と前記内ガイドレールとの間、前記内外のガイドレールとの間、及び前記下枠の外端に連設された外立上り片と前記外ガイドレールとの間に、それぞれ、前記両障子の下端部が収容される内案内溝と中案内溝と外案内溝とを形成してなる窓枠の排水構造において、
前記外立上り片に第１上部排水孔を設けるとともに、前記下枠における下部に長手方向を向く中空部と、この中空部の外方の下枠の外面に、中空部と連通する第１下部排水孔を設け、前記下枠に、前記内案内溝、前記中案内溝の室内開放領域、及び前記中空部に連通し、内案内溝と中案内溝の室内開放領域に浸入した水を前記第１下部排水孔に導く第１排水経路と、前記中案内溝の室外開放領域と前記外案内溝とに連通し、中案内溝の室外開放領域と外案内溝に浸入した水を前記第１上部排水孔に導く第２排水経路とをそれぞれ形成し、前記下枠の外面に、請求項１〜６のいずれかに記載の排水弁装置を、その排水ケース部により前記上下の第１上部排水孔と第１下部排水孔を覆うとともに、排水ケース部の上部排水室と下部排水室とが、それぞれ前記第１上部排水孔と第１下部排水孔とに連通するようにして装着したことを特徴とする窓枠の排水構造。
【請求項８】
外案内溝の底面を、室外側に向かって斜め下向きに傾斜する傾斜面としたことを特徴とする請求項７記載の窓枠の排水構造。
【請求項９】
中案内溝における内障子と外障子とが重なる召し合せ部に、室内開放領域と室外開放領域との間の水の流れを遮断する仕切部材を設けたことを特徴とする請求項７または８記載の窓枠の排水構造。
【発明の詳細な説明】
【技術分野】
【０００１】
本発明は、引き違い式の障子が組み込まれた窓枠における下枠内に浸入した雨水を、室外に排水するための排水弁装置及びこの装置を用いた窓枠の排水構造に関する。
【背景技術】
【０００２】
引き違い式の障子が組み込まれた窓枠においては、その下枠に浸入した雨水が室内に入り込まないように、種々の対策が講じられている。
例えば特許文献１には、下枠における内障子(室内障子)を案内する内案内溝と外障子(室外障子)を案内する外案内溝の下部に、中空部を形成し、この中空部と内案内溝の室内露出領域との間に第１排水経路を形成し、この第１排水経路を介して、内案内溝の室内露出領域に浸入した水を、下枠における中空部の室外壁面に設けた第１排水孔より外部に排水するとともに、内案内溝における内障子の配置領域と、外案内溝における室外露出領域との間に、第２排水経路を形成し、この第２排水経路を介して、内案内溝の内障子の配置領域に浸入した水と、外案内溝の室外露出領域に浸入した水と、外障子配置領域に浸入した水とを、上記第１排水路の上方において外案内溝の室外壁面に設けた第２排水孔より外部に排水するようにした排水構造、及び上記第１排水孔と第２排水孔のそれぞれに、排水弁を装着した構成のものが開示されている。
【先行技術文献】
【特許文献】
【０００３】
【特許文献１】特開２００５−１３９８４５号公報
【発明の概要】
【発明が解決しようとする課題】
【０００４】
上記特許文献１に記載の排水構造に用いられている排水弁は、下枠の室外壁面に上下に離間して設けた第１排水孔と第２排水孔に導かれた水を、１個の排水弁により室外に排水する機能を有していないので、第１排水孔と第２排水孔とのそれぞれに排水弁を装着している。そのため、第１及び第２排水孔を下枠に複数設けると、排水弁の部品点数及び取付工数が増大し、コスト高となる問題がある。
また、下枠に２個ずつの排水弁が上下に離間して並設されているので、それが目立ち過ぎ、窓枠の外観的体裁が悪くなるという問題もある。
【０００５】
本発明は、上記問題点に鑑みてなされたもので、下枠に設けた上下２個の第１上部排水孔と第１下部排水孔に導かれた水を、１つの部品をもって下枠の外部に排水させることにより、部品点数や組付工数を削減してコスト低減を図るとともに、窓枠の外観的体裁を向上させうるようにした窓枠用排水弁装置及びこの装置を用いた窓枠の排水構造を提供することを目的としている。
【課題を解決するための手段】
【０００６】
本発明によると、上記課題は、次の各項のようにして解決される。
（１）窓枠の下枠の室内外方向の外側面に装着され、前記外側面に設けた上下２個の第１上部排水孔と第１下部排水孔に導かれた水を、室外に排水するようにした窓枠用排水弁装置であって、
前記上下２個の第１上部排水孔と第１下部排水孔を覆いうる大きさの排水ケース部を備え、この排水ケース部の内部空間を、前記第１上部排水孔と連通する上部排水室と、前記第１下部排水孔と連通する下部排水室とに区画し、前記排水ケース部に、前記上部排水室に流入した水を外部に排水する第２上部排水孔と、下部排水室に流入した水を外部に排水する第２下部排水孔とを設けるとともに、前記第２下部排水孔に、通常時はこの第２下部排水孔を閉塞し、下部排水室に流入した水を外部に排水するときのみ開弁する排水弁を設ける。
【０００７】
このような構成とすると、下枠の外側面に設けた上下２個の第１上部排水孔と第１下部排水孔に導かれた水を、それら２個の排水孔を覆いうる大きさの排水ケース部を備える１つの排水弁装置をもって室外に排水することができる。従って、第１上部排水孔と第１下部排水孔のそれぞれに、排水弁装置を装着する必要はなく、部品点数及び取付工数が削減されてコスト低減を図ることができるとともに、窓枠の外観的体裁が向上する。
【０００８】
（２）上記(１)項において、排水ケース部における第２下部排水孔と反対側の壁面に、下部排水室と連通するとともに、外周面に係合爪を有する中空筒状の嵌合部を連設し、この嵌合部を下枠の第１下部排水孔に嵌合し、前記係合爪を排水孔の開口縁に係合させることにより、前記排水ケース部を、下枠の外面に装着しうるようにする。
【０００９】
このような構成とすると、外周面に複数の係合爪を有する中空筒状の嵌合部を、第１下部排水孔に嵌合するだけで、排水弁装置を下枠の外面に抜止めして簡単に装着しうるため、ねじ等の固定手段が不要となる。
【００１０】
（３）上記(２)項において、嵌合部の外周面の対向部をコ字状に切り欠くことにより、１対の弾性片を形成し、これら両弾性片の外面に係合爪を突設する。
【００１１】
このような構成とすると、嵌合部を第１下部排水孔に嵌合する際に、弾性片が内向きに弾性変形するので、係合爪を第１下部排水孔の開口縁に容易に係合させうるとともに、排水弁装置の取り外しも容易となる。
【００１２】
（４）上記(２)または(３)項において、嵌合部の下面の一部を、先端から基端に向かって切り欠くことにより、嵌合部の下面に、排水ケース部の下部排水室に連通する開放部を形成する。
【００１３】
このような構成とすると、第１下部排水孔に導かれた水を、嵌合部の下面の開放部を介して、排水ケース部の下部排水室内に速やかに流入させることができる。
【００１４】
（５）上記(１)〜(４)項のいずれかにおいて、第２下部排水孔及び排水弁を横長の方形をなすものとし、前記排水弁の上端部を、排水ケース部に設けた横向きの支軸により回動自在に支持する。
【００１５】
このような構成とすると、第２下部排水孔の開口面積が大となるので、排水ケース部の下部排水室に流入した水を外部に速やかに排水することができる。
また、排水弁は、その上端部が支軸により回転自在に支持されているので、通常時は自重により垂下して、第２下部排水孔を確実に閉塞するとともに、下部排水室に流入した水の圧力により容易に外方に開弁することができる。
【００１６】
（６）上記(１)〜(５)項のいずれかにおいて、上部排水室と下部排水室とを、上下方向を向く連通孔により連通させることにより、この連通孔を、上部排水室に流入した水を第２下部排水孔を介して外部に排水する第２上部排水孔とする。
【００１７】
このような構成とすると、排水ケース部の上部排水室に流入した水を、連通孔を介して下部排水室内に流下させ、下部排水室内に流入した水と一緒に外部に排水しうるので、排水ケース部に、第２上部排水孔を、外部に露出させて設ける必要がない。従って、外部から上部排水室内に雨水が流入する恐れがなくなる。
【００１８】
（７）窓枠の下枠の上面に、引き違い式の内障子と外障子の下端部を移動可能にガイドする内ガイドレールと外ガイドレールを上向きに突設するとともに、前記下枠の内端に連設された内立上り片と前記内ガイドレールとの間、前記内外のガイドレールとの間、及び前記下枠の外端に連設された外立上り片と前記外ガイドレールとの間に、それぞれ、前記両障子の下端部が収容される内案内溝と中案内溝と外案内溝とを形成してなる窓枠の排水構造において、
前記外立上り片に第１上部排水孔を設けるとともに、前記下枠における下部に長手方向を向く中空部と、この中空部の外方の下枠の外面に、中空部と連通する第１下部排水孔を設け、前記下枠に、前記内案内溝、前記中案内溝の室内開放領域、及び前記中空部に連通し、内案内溝と中案内溝の室内開放領域に浸入した水を前記第１下部排水孔に導く第１排水経路と、前記中案内溝の室外開放領域と前記外案内溝とに連通し、中案内溝の室外開放領域と外案内溝に浸入した水を前記第１上部排水孔に導く第２排水経路とをそれぞれ形成し、前記下枠の外面に、請求項１〜６のいずれかに記載の排水弁装置を、その排水ケース部により前記上下の第１上部排水孔と第１下部排水孔を覆うとともに、排水ケース部の上部排水室と下部排水室とが、それぞれ前記第１上部排水孔と第１下部排水孔とに連通するようにして装着する。
【００１９】
このような構成とすると、下枠に形成した第１排水経路と第２排水経路を介して、下枠の外面に設けた第１上部排水孔と第１下部排水孔に導かれた水を、それら上下の排水孔を覆いうる大きさの排水ケース部を備える１つの排水弁装置をもって室外に排水することができるので、第１上部排水孔と第１下部排水孔のそれぞれに、排水弁装置を装着する必要はなく、部品点数及び取付工数が削減されてコスト低減を図ることができるとともに、窓枠の外観的体裁が向上する。
また、下枠に、経路の異なる第１排水経路と第２排水経路を形成し、下枠の室内側に浸入した水を、第１排水経路を介して排水弁装置の下部排水室に流入させ、室外に排水しうるとともに、下枠の室外側に浸入した水を、第２排水経路を介して、排水弁装置における上部排水室に流入させ、室外に排水しうるので、室内が負圧になるなどしても、第２排水経路の水が第１排水経路側に流入して、下枠の室内側に逆流する恐れはない。
【００２０】
（８）上記(７)項において、外案内溝の底面を、室外側に向かって斜め下向きに傾斜する傾斜面とする。
【００２１】
このような構成とすると、外案内溝に流入した第２排水経路の水を、第１上部排水孔及びそれに連通する排水弁装置における排水ケース部の上部排水室内に速やかに流入させて、室外に排水することができる。
また、外案内溝と連通する第１上部排水孔を第１下部排水孔に近づけることができるので、第１上部排水孔と第１下部排水孔を覆う排水ケース部の上下寸法を小さくしてこれを小型化することができる。
【００２２】
（９）上記(７)または(８)項において、中案内溝における内障子と外障子とが重なる召し合せ部に、室内開放領域と室外開放領域との間の水の流れを遮断する仕切部材を設ける。
【００２３】
このような構成とすると、第１排水経路と第２排水経路を完全に別経路としうるので、第２排水経路の水が第１排水経路に逆流する恐れがない。
【発明の効果】
【００２４】
本発明の排水弁装置によれば、下枠に設けた第１上部排水孔と第１下部排水孔のそれぞれに、排水弁装置を装着する必要がないので、部品点数及び取付工数が削減されてコスト低減を図ることができるとともに、窓枠の外観的体裁が向上する。
【図面の簡単な説明】
【００２５】
【図１】本発明を適用した窓枠とそれに装着した引き違い障子を室内側より見た正面図である。
【図２】図１のII−II線拡大縦断側面図である。
【図３】同じく、III−III線拡大横断平面図である。
【図４】下枠の側端部とそれに装着される排水弁装置の斜視図である。
【図５】下枠の拡大平面図である。
【図６】図５のVI−VI線拡大縦断側面図である。
【図７】同じく、VII−VII線拡大縦断側面図である。
【図８】本発明の排水弁装置を室外側より見た正面図である。
【図９】同じく平面図である。
【図１０】同じく底面図である。
【図１１】同じく側面図である。
【図１２】図８のXII−XII線縦断側面図である。
【図１３】第２の実施形態の排水弁装置の縦断側面図である。
【発明を実施するための形態】
【００２６】
以下、本発明の実施形態を、図面に基づいて説明する。
図１は、本発明の一実施形態を適用した方形枠状の窓枠１、及びそれに装着した内外２枚の引き違い障子２、３を、室内側より見た正面図、図２は、図１のII−II線拡大縦断側面図、図３は、同じくIII−III線拡大横断平面図である。
【００２７】
窓枠１は、例えば塩化ビニール樹脂等により成形された上枠４、下枠５、及び左右の側枠６、６よりなり、建物の躯体７の開口部に取り付けられている。なお、上枠４と側枠６は、概ね同じ断面形状とされ、また、下枠５は、その左右寸法が一定の長さ以上であるときには、内部に補強部材(図示略)を挿入して補強される。
【００２８】
内障子２と外障子３は、塩化ビニール樹脂等により成形された上框８、下框９、召し合せ部の内框１０、及び戸当たり部の外框１１よりなる方形の框枠１２と、この框枠１２内に、シール材１３を介して水密的に嵌め込まれた内外二重の窓ガラス１４、１４とからなっている。なお、上框８と下框９と外框１１は、ほぼ同じ断面形状とされている(図２、図３参照) 。
内障子２における内框９の外側面には、施錠装置１５が取付けられている。
【００２９】
図３に示すように、内障子２と外障子３との召し合せ部Ａ、すなわち内框１０、１０の対向面間に形成される隙間は、それら対向面のいずれか一方に取付けられた上下方向のシール材１６によりシールされ、両障子２、３が閉じられているとき、室外側から室内側に雨水や外気が入り込むのを防止している。
【００３０】
図４の拡大斜視図、図５の拡大平面図、及び図６の拡大縦断面図に示すように、上記下枠５の上片５ａの上面には、室外側(図６の左方)から順に、網戸用ガイドレールを兼ねる外立上り片１７と、それよりも若干高さの高い外障子３用の外ガイドレール１８と、この外ガイドレール１８と等高をなす内障子２用の内ガイドレール１９と、内立上り片２０とが、長手方向に全長に亘って一体的に立設されている。
【００３１】
外立上り片１７と外ガイドレール１８との間、外ガイドレール１８と内ガイドレール１９との間、及び内ガイドレール１９と内立上り片２０との間には、それぞれ長手方向を向く外案内溝２１と、中案内溝２２と、内案内溝２３とが形成されている。中案内溝２２と内案内溝２３の上面は、ほぼ水平をなし、外案内溝２１の底面は、外立上り片１７と外ガイドレール１８との間の上片５ａを室外側に向かって斜め下向きに傾斜させることにより、下向きの傾斜面２４としてある。
【００３２】
このように、外案内溝２１の底面を室外側に向かって下向きの傾斜面２４とすると、下枠５の外面に設けられる後記の第１下部排水孔４３と第１上部排水孔４４とを上下に近づけることができるので、それらを覆うようにして下枠５に装着される後記の排水弁装置４５の上下寸法を小さくして、これを小型化することができる。
また、外案内溝２１に浸入した水が、第１上部排水孔４４より速やかに排出されるようになる。
【００３３】
外ガイドレール１８と内ガイドレール１９との上面に形成された凹孔２５、２５の上端部には、金属製のレール部材２６、２６が圧嵌されている。なお、両ガイドレール１８、１９の上面にレール部材を一体的に成形し、金属製のレール部材２６を省略してもよい。
図２に示すように、内障子２と外障子３の下面の下向凹孔２７内の奥面に取付けられた戸車２８、２８を、内外のレール部材２６、２６により転動可能に支持するとともに、両障子２、３の上部を、上枠４の下面の下向きの外ガイドレール２９と内ガイドレール３０とに、けんどん式に嵌合することにより、内障子２と外障子３は、内ガイドレール１９と外ガイドレール１８を跨ぐように、かつ両ガイドレール１８、１９を挟む内外の下端部が、各案内溝２１、２２、２３内に若干収容されるようにして、左右方向に引き違い式に開閉しうるように装着されている。
網戸３１は、その上下の端部が、外立上り片１７と、上枠４の下面の下向きガイドレール３２とにより、左右方向に移動可能に支持されている(図２参照)。
【００３４】
図２、図３及び図５に示すように、内障子２と外障子３とが重なる召し合せ部Ａにおいて、中案内溝２２内には、上面にブラシまたはモヘア状のシール材３３を有するブロック状の仕切部材３４が取付けられ、中案内溝２２を中央部の召し合せ部Ａにおいて左右に仕切ることにより、風雨等が中案内溝２２の右側から左側へ浸入しにくいようにしてある。なお、上面のシール材３３には、両障子２、３の対向部の下面が摺接するようになっている。
【００３５】
外立上り片１７の垂下片１７ａの下端と、内立上り片２０の垂下片２０ａの下端とには、水平をなす下片５ｂと、倒立Ｌ字状断面をなす躯体取付片５ｃとが、上片５ａとの対向面間に空間が形成されるようにして連設され、かつ上片５ａと下片５ｂとの対向面の室外側の対向面同士を、内外に離間する上下方向を向く仕切片３５、３５をもって連結することにより、下枠５における外立上り片１７と外ガイドレール１８との間の内部と、外ガイドレール１８の下方の内部とには、長手方向を向く外中空部３６と内中空部３７とが形成されている。
【００３６】
図５〜図７に示すように、召し合せ部Ａよりも左側の室内開放領域Ｂにおいて、下枠５の内ガイドレール１９の下端部には、中案内溝２２と内案内溝２３とを連通させる左右２個の第１水抜き孔３８、３８が形成されている。
【００３７】
また、中案内溝２２の左側端部の底面と仕切部材３４を取付けた部分の底面とには、下枠５内の第２中空部３７内に連通する横長の第２水抜き孔３９、３９が、外ガイドレール１８と近接するようにして形成されている。仕切部材３４の下面には、中案内溝２２における室内開放領域Ｂに浸入した水を、右側の第２水抜き孔３９に導くための導水溝４０を設けてある。
【００３８】
右方の第２水抜き孔３９は、目立ちにくくするためと、異物が入るのを防止するために、仕切部材３４の直下に設けてあるが、例えば仕切部材３４と近接する左方に設けてもよい。このようにすると、仕切部材３４の導水溝４０は不要となる。
【００３９】
左右の第２水抜き孔３９と対応する位置において、外側の仕切片３５の下端部には、外中空部３６と内中空部３７とを連通させる連通孔４１が形成されている(図６参照)。なお、外側の仕切片３５及びそれに設けた連通孔４１を省略し、下枠５の室外側の内部に形成される大きな中空部を、第２水抜き孔３９及び後記する第１下部排水孔４３と連通させるようにしてもよい。
【００４０】
召し合せ部Ａの右方の室外開放領域Ｃにおいて、外ガイドレール１８の下端部には、外案内溝２１と中案内溝２２とを連通させる左右２個の第３水抜き孔４２、４２が形成されている(図５、図７参照)。
なお、上述した第１、第２、第３水抜き孔３８、３９、４２、及び連通孔４１の孔数は、下枠５の左右寸法に応じて適宜選択しうることは勿論である。
【００４１】
外中空部３６の室外側の側壁、すなわち外立上り片１７より垂下する垂下片１７ａと、外案内溝２１の室外側の側壁である外立上り片１７の下端部とには、室外に開口する３個ずつの概ね横長楕円形の第１下部排水孔４３と、円形の第１上部排水孔４４とが、上下に近接して並設され、第１下部排水孔４３は第１中空部３６内に、第１上部排水孔４４は外案内溝２１内にそれぞれ連通している。なお、第１上部排水孔４４は、横長の長孔としてもよく、また、第１下部排水孔４３と第１上部排水孔４４の孔数も、下枠５の左右寸法に応じて適宜選択することができる。
【００４２】
下枠５における第１下部排水孔４３と第１上部排水孔４４との形成部の室外側の外面には、図８〜図１２に拡大して示すような本発明の排水弁装置４５が装着されている。なお、便宜上、排水弁装置４５を室外から見た図８を正面図とし、以下、この図に基づいて前後左右等を説明する。
この排水弁装置４５は、下枠５に形成された第１下部排水孔４３と第１上部排水孔４４を覆いうる大きさの合成樹脂よりなる方形箱状の排水ケース部４６と、そのやや下方寄りの後面に連設された第１下部排水孔４３への嵌合部４７とを備え、排水ケース部４６の内部空間は、水平の仕切片４８により、左右方向に長い上部排水室４９と、それよりも上下寸法の大きな下部排水室５０とに、上下に区画されている(図１２参照)。
【００４３】
上部排水室４９の後面は、下枠５側、すなわち室内側に開口しており、排水弁装置４５を下枠５に装着した際、上部排水室４９は第１上部排水孔４４と連通するようになっている。
排水ケース部４６の上端部の左右両側面には、上部排水室４９に連通する第２上部排水孔５１、５１が形成され、両第２上部排水孔５１を介して、上部排水室４９に流入した水を室外に排水しうるようになっている。
【００４４】
排水ケース部４６の前面板４６ａと後面板４６ｂとには、それぞれ下部排水室５０に連通する方形の第２下部排水孔５２と通水孔５３とが形成されている。
下部排水室５０内には、第２下部排水孔５２とほぼ同じ大きさの合成樹脂よりなる板状の排水弁５４の上端部の厚肉部が、排水ケース部４６の両側面より挿入した左右１対の支軸５５、５５により、前後方向に回動可能、かつ常時自重により垂下するようにして収容されている。この排水弁５４は、逆止弁式のもので、下部排水室５０内に溜まった水を第２下部排水孔５２より外部に排水するときのみ、図１２の２点鎖線のように外方に回動し、通常時は自重により垂下して第２下部排水孔５２を閉じることにより、雨水や外気等が通水孔５３を介して下枠５内に逆流するのを防止しうるようになっている。
【００４５】
上記嵌合部４７は、第１下部排水孔４３に適正に嵌合可能な、前後両方向に開口する横長の楕円中空筒状をなし、図１０〜図１２に示すように、嵌合部４７の下面の一部を先端から基端に向かって切り欠くことにより、下面には、下部排水室５０に連通する開放部５６が形成されている。このような開放部５６を設けると、排水弁装置４５を下枠５に装着した際に、外中空部３６内に流入した水が、開放部５６及び通水孔５３を介して、下部排水室５０に流入し易くなる(図６参照)。
【００４６】
嵌合部４７の上面には、第１下部排水孔４３の開口部の内側上縁に係合可能な左右１対の係合爪５７、５７が、上向きに突設されている。
また、図１１及び図１２に示すように、嵌合部４７の両側面には、その部分を側面視後向きコ字状に切り欠くことにより、後端部を中心として左右方向に弾性変形可能な弾性片５８、５８が一体的に連設され、それらの外側面には、第１下部排水孔４３の内側の開口縁に弾性係合可能な係合爪５９、５９が、外向きに突設されている。なお、嵌合部４７の上面の係合爪５７は省略することもある。
【００４７】
嵌合部４７を、室外側より第１下部排水孔４３に嵌合すると、各係合爪５７、５９が第１下部排水孔４３の開口部の内縁に係合して抜止めされることにより、排水弁装置４５は、図６及び図７に示すように、下枠５の外面の第１下部排水孔４３と第１上部排水孔４４を排水ケース部４６により覆うとともに、上部排水室４９と下部排水室５３とが、それぞれ第１上部排水孔４４と第１下部排水孔４３とに連通するようにして、水密的に装着される。なお、下枠５と排水ケース部４６との当接面に、パッキン等を介在させてもよい。
【００４８】
窓枠１が風雨にさらされると、図３に示すように、下枠５における召し合せ部Ａの右方の室外開放領域Ｃに雨水が大量に入り込み、外案内溝２１と中案内溝２２に溜まり易くなる。
また、台風等により風雨が強くなった際には、外障子３が配置されている部分の外ガイドレール１８や、内障子２が配置されている内ガイドレール１９を乗り越えた雨水が、室内開放領域Ｂの中案内溝２２や内案内溝２３に浸入することがある。
【００４９】
図６に矢印で示すように、下枠５には、内案内溝２３、第１水抜き孔３８、中案内溝２２、第２水抜き孔３９、内中空部３７、連通孔４１、及び外中空部３６を介して、３個の第１下部排水孔４３に連通する第１排水経路６０と、図７に矢印で示すように、室外開放領域Ｃの中案内溝２２、第３水抜き孔４２、及び外案内溝２１を介して、３個の第１上部排水孔４４に連通する第２排水経路６１とが形成され、これら第１、第２排水経路６０、６１を介して、下枠５の各案内溝２１、２２、２３に浸入した水を室外に排水することができる。
【００５０】
内案内溝２３の全領域に浸入した水と、室内開放領域Ｂの中案内溝２２に浸入した水は、第１排水経路６０を介して室外に排水される。
すなわち、図５の矢印にも示すように、内案内溝２３に浸入した水は、室内開放領域Ｂの内ガイドレール１９に設けた左右２個の第１水抜き孔３８を介して、室内開放領域Ｂの中案内溝２２に流出し、中案内溝２２に浸入した水と合流して、左右２個またはいずれか１個の第２水抜き孔３９介して内中空部３７内に流入する。
【００５１】
内中空部３７に流入した水は、仕切片３５の連通孔４１を介して外中空部３６内に流出し、下枠５の垂下片１７ａに装着した３個の排水弁装置４５の下部排水室５０に流入したのち、排水弁５４を水圧により開いて、排水ケース部４６の第２下部排水孔５２より室外に排水される。
【００５２】
一方、室外開放領域Ｃの中案内溝２２及び外案内溝２１の全領域に浸入した水は、第２排水経路６１を介して室外に排水される。
すなわち、図５及び図７の矢印で示すように、室外開放領域Ｃの中案内溝２２に浸入した水は、室外開放領域Ｃの外ガイドレール１８に設けた左右２個の第３水抜き孔４２を介して、外案内溝２１に流出する。
【００５３】
外案内溝２１に流出した水は、外立上り片１７に設けた３個の第１上部排水孔４４を介して、各排水弁装置４５の上部排水室４９に流入し、左右２個の第２上部排水孔５１より室外に排水される。この際、室外開放領域Ｃの中案内溝２２から外案内溝２１に至る排水経路は短いので、室外開放領域Ｃの中案内溝２２に溜まった水を外案内溝２１に速やかに流出させて、排水弁装置４５の第２上部排水孔５１より室外に排水することができる。また、外案内溝２１の底面を下向きの傾斜面２４としてあるので、外案内溝２１に溜まった水を、より速やかに排水することができる。
【００５４】
このように、上記の排水構造においては、下枠５に、経路の異なる第１排水経路６０と第２排水経路６１を形成し、主として下枠５の室内側に浸入した水を、第１排水経路６０を介して、排水弁装置４５における下部排水室５０に流入させ、排水弁５４を開いて第２下部排水孔５２より室外に排水するとともに、下枠５の室外側に浸入した水を、第２排水経路６１を介して、排水弁装置４５における上部排水室４９に流入させ、その第２上部排水孔５１より室外に排水するようにしているので、室内が負圧になるなどしても、第２排水経路６１の水が第１排水経路６０側に流入して、下枠５の室内側に逆流する恐れはない。
【００５５】
また、上記実施形態の排水弁装置４５においては、下枠５に設けた第１下部排水孔４３と第１上部排水孔４４を覆いうる大きさの排水ケース部４６内に、下枠５側に開口するとともに、第２上部排水孔５１を有する上部排水室４９と、内部に逆止弁式の排水弁５４を収容した下部排水室５０とを、上下に区画して形成し、嵌合部４７を第１下部排水孔４３に嵌合して、排水弁装置４５を下枠５に装着することにより、上部排水室４９を第１上部排水孔４４に、下部排水室５０を第１下部排水孔４３にそれぞれ連通させるようにしているので、異なる排水経路６０、６１を介して、上下に離間する第１下部排水孔４３と第１上部排水孔４４に導かれた水を、１つの排水弁装置４５をもって室外に排水することができる。
【００５６】
従って、従来のように、第１下部排水孔４３と第１上部排水孔４４とのそれぞれに、排水弁装置４５を装着する必要はなく、部品点数及び取付工数が削減されてコスト低減を図ることができるとともに、窓枠１の外観的体裁が向上する。
【００５７】
また、複数の係合爪５７、５９を有する嵌合部４７を、第１下部排水孔４３に嵌合するのみで、排水弁装置４５を下枠５に抜止めして簡単に装着しうるため、ねじ等の固定手段が不要となる。
【００５８】
図１３は、排水弁装置４５の第２の実施形態を示す縦断側面図で、この実施形態においては、排水ケース部４６の仕切片４８と後面板４６ｂとに、上部排水室４９と下部排水室５０とに連通する上下方向を向く連通孔６２を設け、この連通孔６２を第２上部排水孔として、排水ケース部４６の上部排水室４９に流入した第２排水経路６１の水を、連通孔６２を介して下部排水室５０内に流下させ、下部排水室５０内に流入した第１排水経路６０の水と一緒に、排水弁５４を開いて第２下部排水孔５２より室外に排水しうるようにしたものである。
【００５９】
このようにすると、上述した実施形態の排水弁装置４５のような、外部に露出する第２上部排水孔５１を設ける必要がなく、かつ排水弁５４は常時閉じているので、室外から上部排水室４９内に雨水が流入する恐れがなくなる。
【００６０】
なお、上記実施形態の排水弁装置４５においては、その装着を容易とするために、嵌合部４７を一体的に連設してあるが、この嵌合部４７を省略して排水ケース部４６のみとし、この排水ケース部４６を、ねじや接着等の固定手段により、下枠５の外面に取付けることもある。
【符号の説明】
【００６１】
１  窓枠
２  内障子
３  外障子
４  上枠
５  下枠
５ａ上片
５ｂ下片
５ｃ躯体取付片
６  側枠
７  躯体
８  上框
９  下框
１０  内框
１１  外框
１２  框枠
１３  シール材
１４  窓ガラス
１５  施錠装置
１６  シール材
１７  外立上り片
１７ａ垂下片
１８  外ガイドレール
１９  内ガイドレール
２０  内立上り片
２０ａ垂下片
２１  外案内溝
２２  中案内溝
２３  内案内溝
２４  傾斜面
２５  凹孔
２６  レール部材
２７  下向凹孔
２８  戸車
２９  外ガイドレール
３０  内ガイドレール
３１  網戸
３２  下向きガイドレール
３３  シール材
３４  仕切部材
３５  仕切片
３６  外中空部
３７  内中空部
３８  第１水抜き孔
３９  第２水抜き孔
４０  導水溝
４１  連通孔
４２  第３水抜き孔
４３  第１下部排水孔
４４  第１上部排水孔
４５  排水弁装置
４６  排水ケース部
４６ａ前面板
４６ｂ後面板
４７  嵌合部
４８  仕切片
４９  上部排水室
５０  下部排水室
５１  第２上部排水孔
５２  第２下部排水孔
５３  通水孔
５４  排水弁
５５  支軸
５６  開放部
５７  係合爪
５８  弾性片
５９  係合爪
６０  第１排水経路
６１  第２排水経路
６２  連通孔(第２上部排水孔)
Ａ  召し合せ部
Ｂ  室内開放領域
Ｃ  室外開放領域
【図１】
0005822645.tif 000002
【図２】
0005822645.tif 000003
【図３】
0005822645.tif 000004
【図４】
0005822645.tif 000005
【図５】
0005822645.tif 000006
【図６】
0005822645.tif 000007
【図７】
0005822645.tif 000008
【図８】
0005822645.tif 000009
【図９】
0005822645.tif 000010
【図１０】
0005822645.tif 000011
【図１１】
0005822645.tif 000012
【図１２】
0005822645.tif 000013
【図１３】
0005822645.tif 000014